【手続補正書】
【提出日】平成25年2月18日(2013.2.18)
【手続補正１】
【補正対象書類名】特許請求の範囲
【補正対象項目名】全文
【補正方法】変更
【補正の内容】
【特許請求の範囲】
【請求項１】
ＮＭＲ／ＭＲＩシステムのための傾斜磁場発生システムであって、少なくとも１セットの傾斜コイルと、前記傾斜コイルのための制御された電力供給手段とを備え、前記電力供給手段は、各傾斜コイルのために、変換器／増幅器モジュールを備え、前記モジュールは、パルスプログラムに従って適合型傾斜データ発生器によりワードストリームとして提供されるデジタル傾斜データのパルス列を供給され、傾斜コイル及び変換器／増幅器モジュールの各配置は、傾斜チャネルを形成する、傾斜磁場発生システム（１）であって、
前記制御された電力供給手段（３）は、［変換器（４）／増幅器（５）］モジュール（６）に送信された前記傾斜データワードをスキャンし、感知された値に従って、前記傾斜コイル（２）に電流が供給されていないときに、前記傾斜コイル（２）に接続された前記モジュール（６）における増幅器（５）の各々の電力段を無効にするために、前記モジュール（６）に付与されるべきブランキング信号を選択的に発生させる自動ブランキングシステム（８）をさらに備えることを特徴とする傾斜磁場発生システム。
【請求項２】
請求項１に記載の傾斜磁場発生システムであって、
前記自動ブランキングシステム（８）は、［変換器／増幅器］モジュール（６）への前記連続した傾斜データワードの送信を遅延させるための手段（９）と、遅延されたデータワードの値を感知及び評価するための手段（１０）と、連続的に感知された値の評価結果に従って、前記対応する傾斜チャネルの［変換器／増幅器］モジュール（６）における前記増幅器（５）に付与されるべきブランキング信号を、少なくとも、時間制御して、または遅延させて、選択的に配信する手段（１１）と
を備えることを特徴とする傾斜磁場発生システム。
【請求項３】
請求項１または請求項２に記載の傾斜磁場発生システムであって、
単一パルスプログラムに従って前記傾斜データ発生器によって供給され、前記自動ブランキングシステム（８）によって感知される前記単一ストリームのデジタル傾斜データワードは、各傾斜コイル（２）のための傾斜制御データを含み、
各傾斜コイル（２）のためのデータワードを抽出して、対応する関連付けされた［変換器／増幅器］モジュール（６）に配信するデータ発信モジュール（１２）が設けられ、
前記自動ブランキングシステム（８）は、考慮された傾斜コイル（２）を対象とした感知された連続するデータワードの値に従って、各モジュール（６）における前記増幅器（５）への特定のブランキング信号を選択的に発生する
ことを特徴とする傾斜磁場発生システム。
【請求項４】
請求項１〜３のうちのいずれか１項に記載の傾斜磁場発生システムであって、
前記自動ブランキングシステム（８）は、基準クロックと同期されたハードウェアシステムで構成され、該ハードウェアシステムは、一方で、傾斜データワード／ストリーム遅延手段（９）を備え、他方で、各傾斜チャネルについて、ｉ）考慮された傾斜チャネルを対象とした連続する傾斜データワードにおける特定のフィールドの値を感知して、関係する［変換器／増幅器］モジュール（６）に転送された次のデータワードが、関連付けされた傾斜コイル（２）に電流が供給されない結果をもたらすことになるのかを判断するように構成された、感知・評価手段（１０）と、ｉｉ）前述の感知・評価手段（１０）により提供される前記連続する値によってアクティブ／非アクティブ状態が判定されるブランキング信号のための遅延・条件付き配信手段（１１）とを備える
ことを特徴とする傾斜磁場発生システム。
【請求項５】
請求項４に記載の傾斜磁場発生システムであって、
前記傾斜データワード／ストリーム遅延手段（９）は、シフトレジスタまたはＦＩＦＯスタックである
ことを特徴とする傾斜磁場発生システム。
【請求項６】
請求項２，４，５のうちのいずれか１項に記載の傾斜磁場発生システムであって、
前記感知・評価手段（１０）は、前記遅延手段（９）の入力で前記傾斜データワードストリームを感知し、前記遅延手段（９）により生じるタイムラグは、前記考慮された傾斜チャネルの前記［変換器／増幅器］モジュール（６）における前記増幅器（５）の前記電力段の有効化タイムラグ（Ｔ1）に関連して設定される
ことを特徴とする傾斜磁場発生システム。
【請求項７】
請求項２，４，５，６のうちのいずれか１項に記載の傾斜磁場発生システムであって、
考慮された傾斜コイル（２）に電流が供給されていないことに対応する第１の傾斜データワードの感知とブランキング信号の発生との間で、前記自動ブランキングシステム（８）の前記ブランキング信号配信手段（１１）によって、各傾斜チャネルについて生じた前記タイムラグは、前記増幅器（５）の周波数応答と、前記考慮された傾斜コイル（２）の電気的特性とに応じて、前記考慮された［変換器／増幅器］モジュール（６）における前記増幅器（５）の前記電力段の有効化タイムラグ（Ｔ1）と前記傾斜チャネルの無効化タイムラグ（Ｔ2）との合計に関連して設定される
ことを特徴とする傾斜磁場発生システム。
【請求項８】
請求項２または４〜７のうちのいずれか１項に記載の傾斜磁場発生システムであって、
各傾斜チャネルのための前記ブランキング信号配信手段（１１）は、有限状態機械（１３）及びカウンタ（１４）の機能的集合として実現され、
前記カウンタ（１４）は、前記機械（１３）によって駆動され、
機械（１３）及びカウンタ（１４）の双方は、前記傾斜データワードストリーム遅延手段（９）の入力で前記ワードストリームクロックと同期されている
ことを特徴とする傾斜磁場発生システム。
【請求項９】
請求項１〜８のうちのいずれか１項に記載の傾斜磁場発生システムであって、
前記少なくとも１セットの傾斜コイルは、空間参照系の３つの軸Ｘ，Ｙ，Ｚに従って配置されている
ことを特徴とする傾斜磁場発生システム。
【請求項１０】
少なくとも１つの傾斜磁場発生システムを備える、ＮＭＲまたはＭＲＩシステムであって、
前記少なくとも１つの傾斜磁場発生システムは、請求項１〜９のうちのいずれか１項に記載のシステム（１）にある
ことを特徴とするＮＭＲまたはＭＲＩシステム。
【請求項１１】
少なくとも１セットの傾斜コイルと、前記傾斜コイルのための制御された電力供給手段とを備える少なくとも１つの傾斜磁場発生システムを備え、前記電力供給手段が、各傾斜コイルのための変換器／増幅器モジュールを備え、前記モジュールには、パルスプログラムに従って適合型発生器によりワードストリームとして提供されるデジタル傾斜データのパルス列が供給され、傾斜コイル及び変換器／増幅器モジュールの各配置が、傾斜チャネルを形成するＮＭＲまたはＭＲＩシステムにおける取得段階の間に、ＮＭＲ／ＭＲＩ実験におけるノイズレベルを低減するための方法であって、
該方法は、［変換器（４）／増幅器（５）］モジュール（６）に送信される前記デジタル傾斜データをスキャンし、感知された値に従って、前記傾斜コイル（２）に電流が供給されていないときに、それぞれに関連付けされた傾斜コイル（２）に接続された前記モジュール（６）における増幅器（５）の各々の電力段を無効にするための、前記モジュール（６）に付与されるべきブランキング信号を選択的に発生させるために、前記制御された電力供給手段（３）の一部を形成する自動ブランキングシステム（８）を用いることを備える
ことを特徴とする方法。
【請求項１２】
請求項１１に記載の方法であって、
該方法は、前記自動ブランキングシステム（８）を用いて、以下の工程：
−前記［変換器／増幅器］モジュール（６）への前記連続した傾斜データワードあるいは
ワードストリームの送信を遅延させる工程と、
−前述のデータワードの値を感知及び評価する工程と、
−感知された値の評価結果に従って、ブランキング信号を、時間制御して、または遅延させて、選択的に配信する工程と、
−対応する空値の傾斜データと同期させると共に、前記チャネルの前記増幅器（５）の応答タイムラグ（Ｔ1，Ｔ2）を考慮して、対応する傾斜チャネルの前記［変換器／増幅器］モジュール（６）における前記増幅器（５）に、関連するブランキング信号を付与する工程と
を実行することにある
ことを特徴とする方法。
【請求項１３】
請求項１１または請求項１２に記載の方法であって、
前記自動ブランキングシステム（８）は、請求項２〜９のうちのいずれか１項に記載の自動ブランキングシステムにある
ことを特徴とする方法。
【請求項１４】
請求項１１〜１３のうちのいずれか１項に記載の方法であって、
前記少なくとも１セットの傾斜コイルは、空間参照系の３つの軸Ｘ，Ｙ，Ｚに従って配置されている
ことを特徴とする方法。